(57)【要約】【課題】  便座シートペーパーが容易に便座に供給され、容易に便座から除去できる便座シートペーパーセッティング方法とその装置の提供。【解決手段】  本発明は、便座の座面を覆うように掛けられる便座シートペーパーが1枚づつ剥離するように多数枚層状に重ねて収納されたペーパーカセットを装備した便蓋と、便座の座面に開口するよう当該便座に配設された多数の吸気孔と、前記吸気孔から空気を吸い込むように配設された吸気手段とを備え、前記便座に便蓋を被せた状態で吸気手段を作動させてペーパーカセットの便座シートペーパーを便座に吸着させることを特徴とする。【選択図】図２
2005177204.tif 000002
【特許請求の範囲】
【請求項１】
便座の座面を覆うように掛けられる便座シートペーパーが1枚づつ剥離するように多数枚層状に重ねて収納されたペーパーカセットを装備した便蓋と、
便座の座面に開口するよう当該便座に配設された多数の吸気孔と、前記吸気孔から空気を吸い込むように配設された吸気手段とを備え、
前記便座に便蓋を被せた状態で吸気手段を作動させてペーパーカセットの便座シートペーパーを便座に吸着させることを特徴とする便座シートペーパーセッティング装置。
【請求項２】
吸気孔が配設される便座は、便座が上層と下層との二段構成の場合には上層の便座であることを特徴とする請求項１に記載の便座シートペーパーセッティング装置。
【請求項３】
吸気孔が配設される便座は、便蓋と同軸にて回動自在に構成されたことを特徴とする請求項1又は請求項２に記載の便座シートペーパーセッティング装置。
【請求項４】
吸気孔が配設される便座は、断熱素材で形成されたことを特徴とする請求項1乃至請求項３の何れかに記載の便座シートペーパーセッティング装置。
【請求項５】
便座表面に開口する吸気孔は肉眼では視認し難い微細口であることを特徴とする請求項1乃至請求項４の何れかに記載の便座シートペーパーセッティング装置。
【請求項６】
吸気手段は、便器内或いは便器外に配設された吸気装置と、前記吸気装置と吸気孔との間を連通するよう便座に内設された吸気管路とを備えることを特徴とする請求項1乃至請求項５の何れかに記載の便座シートペーパーセッティング装置。
【請求項７】
使用者が便器近傍領域に出入りすることを感知する感知器と、前記感知器からの立ち入り信号に基づいて吸気手段を作動させ、立ち去り信号に基づいて吸気手段を停止させる制御手段を備えたことを特徴とする請求項１乃至請求項６の何れかに記載の便座シートペーパーセッティング装置。
【請求項８】
ペーパーカセットは、多数枚層状に重ねられた便座シートペーパーが収納される収納部と、前記便座シートペーパーが1枚ずつ通過可能な空隙を備え前記収納部に着脱自在に嵌着するペーパー通過枠体と、納められた層状の便座シートペーパーと前記収納部との間に介在して前記収納部に納められた層状の便座シートペーパーをペーパー通過枠体側に常時押圧する弾性部材とを備えたことを特徴とする請求項１乃至請求項７の何れかに記載の便座シートペーパーセッティング装置。
【請求項９】
便座の座面を覆うように掛けられる便座シートペーパーが1枚づつ剥離するように多数枚層状に重ねて収納されたカセットを装備した便蓋と、便座の座面に開口するよう当該便座に配設された多数の吸気孔と、前記吸気孔から空気を吸い込むように配設された吸気手段と、使用者が便器近傍領域に入ったことを感知する感知器と、前記感知器からの立ち入り信号に基づいて吸気手段を作動させる制御手段とを備えた便座シートペーパーセッティング装置において、
前記感知器の立ち入り信号に基づいて前記制御手段により吸気手段を作動させておき、前記便座を開けた際には、便座が閉じられた状態において当該便座の吸気孔の吸引力によって便座に吸着されている便座シートペーパーのみが、前記カセットに納められた層状の便座シートペーパーから剥がされることを特徴とする便座シートペーパーセッティング方法。
【請求項１０】
少なくとも、使用者が便座に着座中は吸気手段を作動させて便座シートペーパーを便座に吸着させておくことを特徴とする請求項９に記載の便座シートペーパーセッティング方法。
【請求項１１】
便座の座面を覆うように掛けられる便座シートペーパーが1枚づつ剥離するように多数枚層状に重ねて収納されたペーパーカセットを装備した便蓋と、便座の座面に開口するよう当該便座に配設された多数の吸気孔と、前記吸気孔から空気を吸い込むように配設された吸気手段と、使用者が便器近傍領域に出入りすることを感知する感知器と、前記感知器からの立ち入り信号に基づいて吸気手段を作動させ、立ち去り信号に基づいて吸気手段を停止させる制御手段とを備えた便座シートペーパーセッティング装置において、
前記制御手段を介して前記感知器の立ち入り信号が入ってから立ち去り信号が入るまで前記吸気手段を作動させることを特徴とする請求項１０に記載の便座シートペーパーセッティング方法。
【発明の詳細な説明】
【技術分野】
【０００１】
本発明は便座に便座シートペーパーをセッティングする便座シートペーパーセッティング方法とその装置に関するものである。
【背景技術】
【０００２】
急速に普及している洋式便器は、和式便器と異なって便座に直接座るものであることが、特に、不特定の者が頻繁に使用するデパートやホテル等において、衛生上或いは清潔感情の点から問題視されている。
【０００３】
これを解決する手段として、使用する度に便座にペーパーを敷き変える方式が、種々提案されている。例えば、実用新案登録第３０１３４７７号公報（実用新案文献１）や実用新案登録第３０７２６４８号公報(実用新案文献２）等がある。
しかし、前者は、使用の都度、便座カバーシートめくり機を用いて便座カバーシート即ち便座シートペーパーをめくり出し、供給操作用磁石を便器本体に取り付けられた磁着体に磁着させる必要があるため、操作が煩わしい上に、操作時に便座シートペーパーが破損し易いという問題がある。
又、後者は、便座シート即ち便座シートペーパーを複数枚積層した構造として、使用面には剥離部を設けると共に他面には粘着部を設けることにより、便座に便座シートペーパーが粘着される構成であるため、便座シートペーパーに剥離部や粘着部を設けるという加工が煩雑でコストが嵩む上、粘着された便座シートペーパーが容易には剥がれ難く、無理をすると破損する等、剥離除去操作に手間がかかるという問題があった。
【実用新案文献１】
【０００４】
実用新案登録第３０１３４７７号公報
【実用新案文献２】
【０００５】
実用新案登録第３０７２６４８号公報
【発明の開示】
【発明が解決しようとする課題】
【０００６】
本発明は、便座シートペーパーが容易に便座に供給され、容易に便座から除去できる便座シートペーパーセッティング方法とその装置の提供を目的とする。
【課題を解決するための手段】
【０００７】
本発明は、便座の座面を覆うように掛けられる便座シートペーパーが1枚づつ剥離するように多数枚層状に重ねて収納されたペーパーカセットを装備した便蓋と、便座の座面に開口するよう当該便座に配設された多数の吸気孔と、前記吸気孔から空気を吸い込むように配設された吸気手段とを備え、前記便座に便蓋を被せた状態で吸気手段を作動させてペーパーカセットの便座シートペーパーを便座に吸着させることを特徴とする。
【０００８】
又、本発明は、吸気孔が配設される便座は、便座が上層と下層との二段構成の場合には上層の便座であることを特徴とする。
【０００９】
又、本発明は、吸気孔が配設される便座は、便蓋と同軸にて回動自在に構成されたことを特徴とする。
【００１０】
又、本発明は、吸気孔が配設される便座は、断熱素材で形成されたことを特徴とする。
【００１１】
又、本発明は、便座表面に開口する吸気孔は肉眼では視認し難い微細口であることを特徴とする。
【００１２】
又、本発明は、吸気手段は、便器内或いは便器外に配設された吸気装置と、前記吸気装置と吸気孔との間を連通するよう便座に内設された吸気管路とを備えることを特徴とする。
【００１３】
又、本発明は、使用者が便器近傍領域に出入りすることを感知する感知器と、前記感知器からの立ち入り信号に基づいて吸気手段を作動させ、立ち去り信号に基づいて吸気手段を停止させる制御手段を備えたことを特徴とする。
【００１４】
又、本発明は、ペーパーカセットは、多数枚層状に重ねられた便座シートペーパーが収められて便座の裏面側凹部に着脱自在に嵌着する収納部と、前記便座シートペーパーが1枚ずつ通過可能な空隙を備え前記収納部に着脱自在に嵌着するペーパー通過枠体と、納められた層状の便座シートペーパーと前記収納部との間に介在して前記収納部に納められた層状の便座シートペーパーをペーパー通過枠体側に常時押圧する弾性部材とを備えたことを特徴とする。
【００１５】
又、本発明は、便座の座面を覆うように掛けられる便座シートペーパーが1枚づつ剥離するように多数枚層状に重ねて収納されたペーパーカセットを装備した便蓋と、便座の座面に開口するよう当該便座に配設された多数の吸気孔と、前記吸気孔から空気を吸い込むように配設された吸気手段と、使用者が便器近傍領域に入ったことを感知する感知器と、前記感知器からの立ち入り信号に基づいて吸気手段を作動させる制御手段とを備えた便座シートペーパーセッティング装置において、前記感知器の立ち入り信号に基づいて前記制御手段により吸気手段を作動させておき、前記便座を開けた際には、便座が閉じられた状態において当該便座の吸気孔の吸引力によって便座に吸着されている便座シートペーパーのみが、前記カセットに納められた層状の便座シートペーパーから剥がされることを特徴とする。
【００１６】
又、本発明は、少なくとも、使用者が便座に着座中は吸気手段を作動させて便座シートペーパーを便座に吸着させておくことを特徴とする。
【００１７】
又、本発明は、便座の座面を覆うように掛けられる便座シートペーパーが1枚づつ剥離するように多数枚層状に重ねて収納されたペーパーカセットを装備した便蓋と、便座の座面に開口するよう当該便座に配設された多数の吸気孔と、前記吸気孔から空気を吸い込むように配設された吸気手段と、使用者が便器近傍領域に出入りすることを感知する感知器と、前記感知器からの立ち入り信号に基づいて吸気手段を作動させ、立ち去り信号に基づいて吸気手段を停止させる制御手段とを備えた便座シートペーパーセッティング装置において、前記制御手段を介して前記感知器の立ち入り信号が入ってから立ち去り信号が入るまで前記吸気手段を作動させることを特徴とする。
【発明の効果】
【００１８】
又、本発明によれば、便座シートペーパーが吸気の吸引力によりペーパーセットから引き剥がされ、しかも、便座に吸着されるので、従来に比べて故障が少ない簡単な構成にすることができ、円滑且つ永続的に便座シートペーパーを供給することができる。
【００１９】
本発明によれば、便座シートペーパーが人手を介さず容易に便座に供給され、使用後には使用者によって容易に便座から除去することができる。
【００２０】
又、本発明によれば、便座を断熱素材で形成することにより、着座の際の冷たさによる不快感を解消することができる。
【００２１】
又、本発明によれば、吸気孔を肉眼では視認し難い微細口とすることによって吸気孔の存在を視覚上隠くすことができる。
【００２２】
又、本発明によれば、使用者が便座に着座する際には、人手を介さずに、常時、便座シートペーパーがセットされた状態とすることができる。
【００２３】
又、本発明によれば、吸気手段が使用中も作動して便座シートペーパーを便座に常時吸着した状態にするので、位置ずれによる不快感を解消することができる。
【発明を実施するための最良の形態】
【００２４】
以下、本発明を実施するための最良の形態を実施例に基づいて説明する。
【実施例１】
【００２５】
先ず、実施例１を図１乃至図４に基づいて説明する。図１は便蓋と一体的に構成された便座の外観斜視図、図2は便座と便蓋に格納されるペーパーカセットの分解斜視図、図３は使用状態を示す便器の外観斜視図、図４は便座の断面図である。
【００２６】
図1乃至図３において、１は便座、２は便蓋、３は便器本体である。便座１は便蓋２と回動軸４を介して回動自在に軸着され、一体的に構成されており、便蓋２の裏面側にはペーパーカセット５が着脱自在に装備されている。
【００２７】
ペーパーカセット５は、例えば、便座１の座面を覆うよう輪状に形成された便座シートペーパー６が1枚づつ剥離するように多数枚層状に重ねられた束を収納する収納部５１と、収納部５に納められた便座シートペーパー６の外周縁側を押さえるように形成されると共に剥離された便座シートペーパー６を便座１の座面側に通す空隙５２が形成されたペーパー通過枠５３とで構成する。
【００２８】
図４に示すペーパーカセット５は、多数枚層状に重ねられた便座シートペーパー６が収納される収納部５１と、便座シートペーパー６が1枚ずつ通過可能な空隙５２を備え前記収納部５１に着脱自在に嵌着されて収納部５に納められた便座シートペーパー６の外周縁側を押さえるように形成されペーパー通過枠体５３のみならず、更に、納められた層状の便座シートペーパー６と前記収納部５１との間に介在して前記収納部５１に納められた層状の便座シートペーパー６をペーパー通過枠体５３側に、常時、押圧する弾性部材５を備えた構成としている。弾性部材５としては例えばスポンジを用いる。
このような弾性部材５を用いることによって、収納部５１に納められた便座シートペーパー６の束の重なりを乱すことなく維持させると共に、残り少なくなった状態でも最後の１枚の便座シートペーパー６に至るまで円滑且つ確実に使用できる。
【００２９】
図２乃至図４において、便座１には、座面側から便座１の内部に向かって多数の吸気孔１１を形成し、これら吸気孔１１の口を座面に開口させている。吸気孔１１の開口は使用者に肉眼では視認し難い程小さな微細口とする方が使用者に異様な不快感を与えない点で好ましいが、必ずしも、微細口とする必要はない。
【００３０】
吸気手段１４は、便座１の内部には吸気孔１１と連通するよう内設された通気管路１２と、この通気管路１２が接続される便器本体３の外部に適当に配設された吸気装置１３とで構成されており、吸気装置１３の作動により、通気管路１２を介して、便座１の座面に多数配設された吸気孔１１から空気を吸い込む。
即ち、便座１に便蓋２を被せた状態で吸気手段１４を作動させると、ペーパーカセット５の便座シートペーパー６が便座１の座面に吸着され、吸着されている状態のまま便蓋２を開けることにより、便座１に吸着されている1枚の便座シートペーパー６をそのまま残して便器本体３が開口される。
【００３１】
吸気手段１４の作動は、使用者が便器近傍領域、例えば化粧室の出入り口付近や個室のドア等に出入りすることを感知する感知器（図示せず）と、この感知器からの立ち入り信号に基づいて吸気手段１４を作動させ、立ち去り信号に基づいて吸気手段１４を停止させる制御手段（図示せず）とで行う。
例えば、感知器の立ち入り信号に基づいて制御手段により吸気手段１４を作動させておき、使用に際して便座１を開けた際には、便座１が閉じられた状態において当該便座１の吸気孔１１の吸引力によって便座１に吸着されている１枚の便座シートペーパー６のみが、ペーパーカセット５に納められた層状の便座シートペーパー６の束から剥がされて、便座１の座面を覆うように掛けられた状態となる。即ち、使用に際して便蓋２を開ける度に、１枚の便座シートペーパー６が便座１にセッティングされるのである。
【００３２】
勿論、制御手段による吸気手段１４の作動は、この実施例１のように、制御手段を介して、感知器の立ち入り信号が入ってから立ち去り信号が入るまでの間中作動させることに限らず、その他、如何様にも任意に制御してもよいが、少なくとも、使用者が便座に着座中は吸気手段１４を作動させて便座シートペーパー６を確実に便座１に吸着させておくことが望ましい。
尚、使用後は使用者の手によって、便座シートペーパー６は便座１から剥がされて、便器内へ或いはゴミ箱に投入破棄される。又、この実施例１の吸気装置１４は、便器本体３の外部に適当に配設されているが、便器本体３の内部に適当に配設してもよい。
【実施例２】
【００３３】
上記実施例１では便座１が単体構造の場合を例にして説明したが、この実施例２では、便座１が上層１０１と下層１０２との二段構成の場合を、図５乃至図７に基づいて説明する。図５は便蓋と一体的に構成された便座の外観斜視図、図６は便座と便蓋に格納されるペーパーカセットの分解斜視図、図７は使用状態を示す便器の外観斜視図であり、各図において、実施例１の図１乃至図４と同一の符号は同一内容のものである。
【００３４】
便座１を上下二段構成とするのは、単体構造の便座１に相応する下層の便座１０２が人の荷重に耐え得るため硬質樹脂で成形される結果、人肌に触れる冷たさを感じさせて不快感を生ずるため、直接肌が接しても冷たさを感じさせないようにするためである。従って、上層の便座１０１は例えばウレタンのような断熱素材で成形すると良い。
このような上下二段構成の便座の場合には、上記実施例１で説明した吸気孔１１や吸気手段１４の吸気管路１２０等は、当然のことながら、断熱材素材で形成された上層の便座１０１に設けることになる。その構成は上記実施例１と実質的に同様であるので説明を省略する。
【産業上の利用可能性】
【００３５】
本発明は、家庭用の洋式便器のみならず、ホテル等衛生意識の高い公衆に提供する業務用の洋式便器に適用することができる。
【図面の簡単な説明】
【００３６】
【図１】便蓋と一体的に構成された便座の外観斜視図である。（実施例１）
【図２】便座と便蓋に格納されるペーパーカセットの分解斜視図である。（実施例１）
【図３】使用状態を示す便器の外観斜視図である。（実施例１）
【図４】便座の断面図である。（実施例１）
【図５】便蓋と一体的に構成された便座の外観斜視図である。（実施例２）
【図６】便座と便蓋に格納されるペーパーカセットの分解斜視図である。（実施例２）
【図７】使用状態を示す便器の外観斜視図である。（実施例２）
【符号の説明】
【００３７】
１    便座
２    便蓋
３    便器本体
５    弾性部材
６    ペーパーカセット
１１  通気孔（微細口）
１２  吸気通路
１３  吸気装置
１４  吸気手段
５１  収納部
５２  空隙
５３  ペーパー通過枠体
６    便座シートペイパー（束）
吸気通路（吸気手段）
【図１】
2005177204.tif 000003
【図２】
2005177204.tif 000004
【図３】
2005177204.tif 000005
【図４】
2005177204.tif 000006
【図５】
2005177204.tif 000007
【図６】
2005177204.tif 000008
【図７】
2005177204.tif 000009